(57)【要約】【課題】電池の放熱性向上が図れる電池パックを提供することである。【解決手段】電池パック１は、筐体の内部に設置された複数の電池セル２と、筐体の一部を構成するベース３０と、ベース３０と組み合わされているカバー１１と、スイッチ装置５４，５５と、電池放熱経路と、スイッチ放熱経路と、を備える。ベース３０は車両側部材１９に対して熱移動可能に設置され、カバー１１は電池セル２の熱が熱移動可能な状態に設置されている。スイッチ装置５４，５５は、ベース３０を介して車両側部材１９に対して熱移動可能に設置されて電流を制御する。電池放熱経路は、電池セル２の熱をカバー１１を経由して外部に放出する経路である。スイッチ放熱経路は、スイッチ装置５４，５５の熱をベース３０を経由して車両側部材１９に放出する経路である。【選択図】図３
2018190607.tif 000002
【特許請求の範囲】
【請求項１】
筐体の内部に設置された電池（２０）と、
前記筐体の一部を構成し車両側部材（１９）に対して熱移動可能に設置されるベース（３０）と、
前記ベースと組み合わされて前記筐体の一部を構成し前記電池の熱が熱移動可能な状態に設置されたカバー（１１；１０１１；２０１１；３０１１；４０１１）と、
前記ベースを介して前記車両側部材に対して熱移動可能に設置されて電流を制御するスイッチ装置（５４，５５）と、
前記電池の熱を前記カバーを経由して外部に放出する電池放熱経路と、
前記スイッチ装置の熱を前記ベースを経由して前記車両側部材に放出するスイッチ放熱経路と、
を備える電池パック。
【請求項２】
前記ベースまたは前記カバーよりも高い断熱性を有し、前記カバーと前記ベースとの結合部（１１ａ，３０ａ）において前記カバーと前記ベースとの間に介在する断熱部（１１３）を備える請求項１に記載の電池パック。
【請求項３】
前記カバーは、前記電池の熱が移動する部位に前記結合部よりも肉厚が大きい熱容量拡大部（１１１）を有する請求項２に記載の電池パック。
【請求項４】
前記電池に接触して支持する電池ケース（４０）を備え、
前記電池において電極端子（２ａ）が突出する端子端面（２ａ１）とは反対側に位置する端面（２ｂ）は、前記カバーに対して熱移動可能な部位であり、かつ、前記電池ケースを貫通するように設けられた開口部（４０ａ）の内側に位置する請求項１から請求項３のいずれか一項に記載の電池パック。
【請求項５】
前記熱容量拡大部は、前記車両側部材に対して連結部材（１９１）を介して接続されている請求項３に記載の電池パック。
【請求項６】
前記連結部材は、前記電池に接触して支持する電池ケース（４０）よりも熱伝導性が高い材質によって構成されている請求項５に記載の電池パック。
【請求項７】
前記熱容量拡大部は、前記カバーにおける天井部（１１ｃ）に設けられている請求項３、請求項５、請求項６のいずれか一項に記載の電池パック。
【請求項８】
前記熱容量拡大部は、前記カバーにおける側壁部（１１ｂ）に設けられている請求項３、請求項５、請求項６のいずれか一項に記載の電池パック。
【請求項９】
前記熱容量拡大部は、前記カバーの周囲の雰囲気に露出している請求項３、請求項５、請求項６のいずれか一項に記載の電池パック。
【請求項１０】
前記カバーにおける前記電池の熱が移動する部位と前記電池との間に介在し、蓄熱材料を含んだ蓄熱部（１１２）を備える請求項１から請求項９のいずれか一項に記載の電池パック。
【請求項１１】
前記カバーは前記ベースよりも上方に設けられている請求項１から請求項１０のいずれか一項に記載の電池パック。
【発明の詳細な説明】
【技術分野】
【０００１】
この明細書における開示は、電池を有する電池パックに関する。
【背景技術】
【０００２】
特許文献１には、電池セルを内蔵する電池ケースが収容ケースに収容された電池パックが開示されている。特許文献１によれば、電池セルの発熱は、電池ケースの下板部を介して、収容ケースの一部をなすベースの底板部に移動し、底板部から外部に放出される。また、パワー素子の発熱は、ベースに形成された素子用放熱部を移動して素子用放熱部の裏面や複数のフィンから外部に放出される。従来技術として列挙された先行技術文献の記載内容は、この明細書における技術的要素の説明として参照により援用される。
【先行技術文献】
【特許文献】
【０００３】
【特許文献１】特開２０１４−１３７２２号公報
【発明の概要】
【発明が解決しようとする課題】
【０００４】
特許文献１の電池パックは、電池セルからの放熱性能に関して、さらなる改良が求められている。
【０００５】
この明細書における開示の目的は、電池の放熱性向上が図れる電池パックを提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された電池パックのひとつは、筐体の内部に設置された電池（２０）と、筐体の一部を構成し車両側部材（１９）に対して熱移動可能に設置されるベース（３０）と、ベースと組み合わされて筐体の一部を構成し電池の熱が熱移動可能な状態に設置されたカバー（１１；１０１１；２０１１；３０１１；４０１１）と、ベースを介して車両側部材に対して熱移動可能に設置されて電流を制御するスイッチ装置（５４，５５）と、電池の熱をカバーを経由して外部に放出する電池放熱経路と、スイッチ装置の熱をベースを経由して車両側部材に放出するスイッチ放熱経路と、を備える。
【０００８】
この電池パックによれば、スイッチ装置の熱はスイッチ放熱経路によってベースを通じて車両側部材等の外部に放出し、電池の熱は電池放熱経路によってカバーを通じて外部に放出することができる。これにより、カバーはスイッチ装置の熱を受けるベースとは別部材であるため、スイッチ装置からの熱干渉を受けにくい電池放熱経路を提供できる。したがって、電池の放熱性向上が図れる電池パックを提供できる。
【図面の簡単な説明】
【０００９】
【図１】第１実施形態の電池パックを示す平面図である。
【図２】電池パックについてカバーを外した状態を示す平面図である。
【図３】第１実施形態の電池パックについて、スイッチ装置の放熱経路と電池セルの放熱経路とを示した説明図である。
【図４】第２実施形態の電池パックについて、スイッチ装置の放熱経路と電池セルの放熱経路とを示した説明図である。
【図５】第３実施形態の電池パックについて、スイッチ装置の放熱経路と電池セルの放熱経路とを示した説明図である。
【図６】第４実施形態の電池パックについて、スイッチ装置の放熱経路と電池セルの放熱経路とを示した説明図である。
【図７】第５実施形態の電池パックについて、スイッチ装置の放熱経路と電池セルの放熱経路とを示した説明図である。
【発明を実施するための形態】
【００１０】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１１】
現在、既にＩＳＳ（Idling Stop System）等を搭載した、いわゆるマイルドハイブリッド車と呼ばれる車両が世の中に普及している。
【００１２】
今後、マイルドハイブリッド車には、ＩＳＳだけでなく、始動機および発電機の機能を統合した電気機器であるＩＳＧ（Integrated Starter Generator）を用いて、エンジン駆動を補助するモータアシストや多少の航続ができるモータ駆動を積極的に取り入れることが検討されている。その意図は、積極的に電気機器を用いて車両駆動を行う、つまり車両の電動化を進めることで、エンジン駆動の機会を低減し、燃費を向上させ、ひいてはエンジン駆動した際、大気中に放出される二酸化炭素の排出量を低減することで地球環境をより良くすることを目指すためである。
【００１３】
しかしながら、電動化が進むと大容量の電源が必要となり、電源から始動機および発電機等の各電気機器をつないでいる導電経路には大電流が流れ、それに伴って発熱する。この発熱によって電源の容量が劣化し、充放電サイクルの回数が減ってしまう等の不具合が発生するおそれがあった。
【００１４】
そこで、従来から知られている電池パックにおいて、電池セルからの放熱性能に関して、さらなる改良が求められている。この実施形態は、電池の放熱性向上が図れる電池パックを開示するものである。
【００１５】
（第１実施形態）
第１実施形態の電池パック１について、図１〜図３を参照して説明する。各図には、上下方向または高さ方向Ｈ１、幅方向Ｗ１および奥行方向Ｄ１が図示されている。この実施形態の電池パック１では、設置例の一つとして、高さ方向Ｈ１を鉛直方向に設定している。幅方向Ｗ１と奥行方向Ｄ１は、高さ方向Ｈ１に直交する横方向でもある。
【００１６】
電池パック１は、複数の電池セル２を搭載する乗り物に適用することができる。乗り物の一例は車両である。車両は、例えば、電池パック１を、内燃機関と電池駆動のモータとを組み合わせて走行駆動源とするハイブリッド自動車、電池駆動のモータによって走行する電気自動車等である。この実施形態では、電池パック１をハイブリッド自動車に搭載する例について説明する。この実施形態での電池パック１は、例えば、幅方向Ｗ１が車両の幅方向になるように設置されている。
【００１７】
電池パック１は、トランクルーム、トランクルームより下方に設けられたトランクルーム裏エリア等のパック収容スペースに設置されている。パック収容スペースは、例えば、スペアタイヤ、工具等も収納することができる。電池パック１は、パックケースの底壁を構成するベース３０を下側にした姿勢で、パック収容スペースに設置されている。パック収容スペースは、車室内の空気が流入可能なスペースである。
【００１８】
車両には、車室内を空調する空調装置が搭載されている。空調装置は、車外または車室内から空気を取り入れて空調ユニットに向けて送風する送風ユニットと、送風ユニットによって送られた空気を温度調節して車室内に送る空調ユニットと、を備えている。したがって、電池パック１の筐体を構成するカバー１１には、パック収容スペースの空気、例えば車室内の空気が接触し得る。
【００１９】
また、電池パック１は、車両に設けられた床面に接触するように車両に搭載してもよい。これにより、電池パック１のパックケース内の熱は、ベース３０の壁を介して床面に移動する。ベース３０と床面との接触部には、熱伝導性に優れた放熱シートを介在させるようにしてもよい。パックケース内の熱は、ベース３０から放熱シートを介して床面に伝達される。
【００２０】
電池パック１は、パック収容スペースとして、車室内に設けられる前部座席の下方や後部座席の下方に設置することができる。また、後部座席の下方の電池パック１を設置する空間は、トランクルームよりも下方のトランクルーム裏エリアに連通させるようにしてもよい。当該設置空間は、車外に連通するようにも構成できる。
【００２１】
図１に示すように、電池パック１は、カバー１１とベース３０とを備える。電池パック１は、カバー１１およびベース３０を少なくとも有する筐体の一部が車両側部材１９に固定されている。カバー１１とベース３０とは、電池パック１の外殻を形成し、電池パック１のパックケースを構成する。カバー１１とベース３０とは、各機能部品を収容するパックケースである。カバー１１は熱伝導性を有する金属製である。カバー１１は、例えばアルミニウム、鉄によって構成することができる。カバー１１は電池パック１の上部または天井部の外殻を構成する。ベース３０は電池パック１の下部または底部の外殻を構成する。
【００２２】
図２は、電池パック１においてカバー１１を取り除いた状態を示している。電池パック１は乗り物の発電電動機（ＭＧ）１５と協働する。電池パック１は乗り物の電動システムを提供する。発電電動機１５は内燃機関（ＥＧ）１６と連結されている。電池パック１は車両における電気負荷（ＬＤ１）１７、電気負荷（ＬＤ２）１８に接続されている。電気負荷１７は、外部電池、スタータのような大電流が流れる電気負荷である。電気負荷１８は、被保護負荷である一般的な電気負荷であり、例えば、オーディオ、ナビゲーション装置、ヘッドライト、フロントウインドシールド等のワイパ、空調装置の送風ファン、リヤウインドシールドのデフロスタ用ヒータ等である。
【００２３】
発電電動機１５は、内燃機関１６によって駆動されることで発電機として機能する。発電電動機１５によって発電された電力の少なくとも一部が電池パック１に供給されることにより、電池パック１は充電される。発電電動機１５には電池パック１から電力が供給されることにより、発電電動機１５は電動機として機能する。発電電動機１５は、内燃機関１６とともに動力源として機能する。例えば、発電電動機１５は、内燃機関１６が供給する動力を上回る動力、または、内燃機関１６が供給する動力を補助する動力を供給する。発電電動機１５は、例えば、アイドリングストップからエンジンを再起動する際や加速時にエンジンをアシストするモータである。
【００２４】
電池パック１は、電力の入出力が行われる端子台ユニット１４を備える。端子台ユニット１４は、Ｐｂ蓄電池接続用の端子台ユニット１４Ａと、ＩＳＧ接続用の端子台ユニット１４Ｂと、被保護負荷接続用の端子台ユニット１４Ｃと、を備える。端子台ユニット１４Ａは、外部電池側に接続される第１入出力端子４１と、第１入出力端子４１を支持する端子台と、を有する。端子台ユニット１４Ｂは、回転機側に接続される第２入出力端子４２と、第２入出力端子４２を支持する端子台と、を有する。各端子台は電気絶縁性および熱伝導性を有する樹脂等の材料によって形成されている。端子台ユニット１４Ａ、端子台ユニット１４Ｂは、互いに方向Ｄ１に横並びとなる位置でそれぞれの端子台がベース３０に固定されている。したがって、各端子台ユニット１４Ａ，１４Ｂ，１４Ｃは、ベース３０との間で熱移動可能な状態で設置されている。
【００２５】
端子台ユニット１４Ａの第１入出力端子４１には、ハーネスを介して外部電池が接続されている。第１入出力端子４１は、導電性のバスバ２１によって電気部品、電池セル２等と通電可能に接続されている。端子台ユニット１４Ｂの第２入出力端子４２には、ハーネスを介して回転機が接続されている。第２入出力端子４２は、導電性のバスバ２２によって電気部品、電池セル２等と通電可能に接続されている。回転機は、例えば電動発電機である。端子台ユニット１４Ｃの第３入出力端子４３には、例えば、車両ＥＣＵが接続されるとともに、電池パック１からの電力供給の対象となる前述の電気負荷に接続可能となるように構成されている。第３入出力端子４３は、導電性のバスバによって電気部品、電池セル２等と通電可能に接続されている。各バスバの熱は、端子台ユニットやベース３０に移動し、さらにステー３２を介して車両側部材１９に放出される。各バスバとベース３０とは、熱伝導性および絶縁性を有する材質で形成されたバスバ支持部材２５を介して熱移動可能な関係にある。
【００２６】
各端子台ユニットは、パックケースの外周部に設けられ、電池パック１の外部に露出した状態で設けられている。各端子台ユニットは、熱伝導性および絶縁性を有する材質で形成されている。端子台ユニット１４Ａ、端子台ユニット１４Ｂおよび端子台ユニット１４Ｃは、パックケースと一体であって、スイッチ装置５５よりもスイッチ装置５４に近い位置で横方向に並んで設置されている。端子台ユニット１４Ａ、端子台ユニット１４Ｂおよび端子台ユニット１４Ｃは、複数の取付部であるステー３２のうち、ステー３２ａとステー３２ｂとの間におけるパックケースの外周部に、パックケースと一体に設置されている。また、端子台ユニット１４Ａ、端子台ユニット１４Ｂおよび端子台ユニット１４Ｃは、パックケースの一部として設けられてもよいし、パックケースとは別個の部品であってパックケースに装着されることで、パックケースと一体に設置されている構成でもよい。各端子台ユニットとベース３０とは熱移動可能な関係にある。
【００２７】
スイッチ装置５４，５５は、トランジスタ、ＭＯＳＦＥＴ、またはＩＧＢＴなどとして広く知られている半導体スイッチである。また、スイッチ装置５４，５５は、電磁力を用いて接点の開閉を行うメカニカルリレーであってもよい。スイッチ装置５４，５５は、スイッチ装置５３と異なり大電流を制御する電気部品の一例であり、発熱体に相当する。スイッチ装置５４，５５のようにバスバを介してベース３０に放熱可能な熱移動経路を有する発熱体としての電気部品には、スイッチ装置５４，５５の他に、抵抗器を含めることもできる。
【００２８】
スイッチ装置５４，５５は、電力供給のための電流が流れていない信号線部によって、基板５１に対して信号通信可能な状態で連結されている構成である。さらにスイッチ装置５４，５５は、電力供給のための大電流が流れる電力線部が基板５１に接続されていない構成である。各スイッチ装置５４，５５において装置本体および電力線部を流れる大電流は、基板５１には伝達されない構成となっている。
【００２９】
スイッチ装置５４，５５は、本体の幅寸法が厚さ寸法よりも長くなる扁平状の外形形状である。スイッチ装置５４，５５は、熱伝導性を有するシート状部材を介して間接的に放熱壁３１に接触している。放熱壁３１は、ベース３０のステー３２へ熱移動可能となる形態でベース３０に設けられている。信号線部は、本体から延びて基板５１に接続されており、または基板５１に実装された電気部品に接続されている。電力線部は基板５１には接続されておらず、バスバ２１，２２を介して第１入出力端子４１や第２入出力端子４２に連結されている導電性の部品側端子である。
【００３０】
電力線部は、溶接等によってバスバ２１，２２に接合されている導電性の部品側端子である。バスバ２１、バスバ２２は、組電池等とともにベース３０に収容されるバスバ支持部材２５に支持されている銅製の導電性部材である。バスバ支持部材２５は、バスバ２１およびバスバ２２を安定した状態で収容するバスバ収容ケースでもある。バスバ支持部材２５は、熱伝導性および電気絶縁性を有した材料によって形成されて、各バスバと周囲の部材とを絶縁する。バスバ支持部材２５は、例えば、ポリブチレンテレフタレート樹脂で形成されていることが好ましい。各バスバ２１，２２の先端は、バスバ支持部材２５の端部よりも内側に位置し、バスバ支持部材２５の端部の方が外側に突出していることが好ましい。
【００３１】
スイッチ装置５４，５５の本体をシート状部材や放熱壁３１に固定する手段は、絶縁性を有する接着剤、例えばシリコン系接着剤や、ボルトやねじによる締結固定によって構成することができる。スイッチ装置５４，５５の本体からシート状部材を通じて放熱壁３１に移動した熱は、ベース３０の側壁等に移動した後、さらにステー３２を介して車両側部材１９に移動する放熱経路によって、電池パック１の外部に放出される。
【００３２】
各バスバは、導電性の板状部材であり、スイッチ装置５４，５５の電力線部や電力線部に接続されて、電力供給のための大電流が通電する。バスバ支持部材２５と端子台ユニット１４は、一体成形によって一つの部材として形成してもよいし、別個の部材を一体に固定する構成でもよい。
【００３３】
図３に図示するように、バスバ２１、バスバ２２は、端子台ユニットを介してベース３０に熱的に接続されている。バスバ２１、バスバ２２は、スイッチ装置等の電気部品が熱移動可能に設けられる放熱壁３１から離間した位置でベース３０に対して熱移動可能に設置されている。このため、バスバ２１、バスバ２２のそれぞれから放出された熱は、端子台ユニットを介してベース３０に移動し、さらにブラケット１９０やステー３２を介して車両側部材１９に放出される。
【００３４】
第１入出力端子４１や第２入出力端子４２と接続する各バスバにおける接続部の外周縁は、端子台ユニット１４Ａ，１４Ｂを形成する側壁によって囲まれている。この側壁は、絶縁性を有する材料で形成されているため、バスバとの絶縁距離の確保に寄与している。各バスバにおける接続部の外周縁は、ベース３０における複数のステー３２の外側端よりも外側に突出しないように設けられている。各バスバにおける接続部の外周縁は、複数のステー３２のうち最も近い位置にあるステー３２ａやステー３２ｂの外側端よりも外側に突出しないように設けられている。各バスバにおける接続部は、電池パック１における固定部や通電部などの機能部が存在しない箇所であって、かつ電池パック１の最外形部よりも外側にはみ出ない箇所である。各バスバにおける接続部は、このような箇所である電池パック１のデッドスペースに設けられている。
【００３５】
電池パック１における電気部品ユニットは、接続部材であるバスバ２１，２２等と、バスバの接続端子部に接続されている部品側端子をそれぞれ有する複数の電気部品と、を備える。電気部品ユニットは、バスバ２１，２２等を支持または収容するバスバ収容ケースを備えることにより、各バスバを所望の位置に保持することができる。
【００３６】
電池パック１は、電池ユニット２０とベース３０と電気部品ユニットと電気回路５０とを備える。ベース３０には、電池ユニット２０と電気部品ユニットと電気回路５０とが搭載されている。電気回路５０は基板５１と複数の電気部品５２とを含む機能部品である。ベース３０は、電池ユニット２０を設置するための凹状の容器部を有する。ベース３０は、電池ユニット２０の一部、例えば下部のみを容器部に収容しており、電池ユニット２０の残部、例えば上部は、ベース３０から突出している。電池ユニット２０と電気部品ユニットと電気回路５０とは、複数のねじまたはボルトなどの締結部材によってベース３０に固定されている。
【００３７】
電池ユニット２０は、複数の電池セル２を収容する電池ケース４０を有する。電池ケース４０は、電気絶縁性を有する樹脂によって形成されている。電池ケース４０は、複数の電池セル２を収容する容器の一部である。電池ケース４０は、各電池セル２を他の電池セル２に対して電気絶縁した状態で支持している。さらに電池ケース４０は、複数の電池セル２をベース３０に固定する固定部材でもある。電池ケース４０は、電池ユニット２０をベース３０に固定するための複数の取付部を有する。
【００３８】
電池ケース４０は、電池セル２の熱をカバー１１に熱伝達させるために、電池セル２の端面２ｂが内側に位置する開口部４０ａを有する箱体状である。開口部４０ａは、電池ユニット２０に含まれるすべての電池セル２が内側に位置するように電池ケース４０に設けられている。すべての電池セル２は、電池セル２の外装を形成するセルケースにおいて最も表面積が大きい面を隣の電池セルに対向させた姿勢で上下方向に積層して、電池ケース４０に内蔵されている。端面２ｂは、セルケースにおいて、電極端子２ａが突出する端子端面２ａ１に対して反対側に位置するセルケースの表面である。したがって、すべての電池セル２は、開口部４０ａを通じて、電池ケース４０の外部と連通するように設置されている。
【００３９】
端子端面２ａ１および電極端子２ａは、筐体の内部において端面２ｂよりも中央部寄りの内側に位置している。端子端面２ａ１および電極端子２ａは、開口部４０ａとは反対側に位置する電池ケース４０の壁部４０ｂに対向している。壁部４０ｂは、開口部４０ａよりもスイッチ装置５４，５５寄りに位置し、スイッチ装置５４，５５に関するスイッチ放熱経路寄りに位置している。端子端面２ａ１および電極端子２ａは、端面２ｂよりも、スイッチ装置５４，５５寄りに位置し、スイッチ装置５４，５５に関するスイッチ放熱経路寄りに位置している。
【００４０】
カバー１１は、天井部１１ｃと、天井部１１ｃの周縁部から上下方向に延びる複数の側壁部１１ｂとを備えている。側壁部１１ｂは、電池ケース４０の開口部４０ａに対向している。カバー１１は、複数の側壁部１１ｂの下端部が開口をなす開口端部を有し、側壁部１１ｂの下端部から外側に突出する突出片をなす突出片部１１ａを有している。突出片部１１ａは、ベース３０とカバー１１とを組み合わせた状態で、ベース３０の突出片部３０ａに結合して、突出片部３０ａとともにカバー１１とベース３０との結合部を構成する。カバー１１とベース３０の間には断熱部１１３を介在している。断熱部１１３は、ベース３０とカバー１１との間の熱移動を抑制する熱抵抗部として機能する。断熱部１１３は、ベース３０またはカバー１１よりも高い断熱性を有する材質によって構成されている。断熱部１１３は、ベース３０またはカバー１１よりも熱伝導率が小さい特性を有する材質によって構成されている。例えば、断熱部１１３は、樹脂材料や、合成ゴム、天然ゴム等のエラストマーによって構成することができる。
【００４１】
カバー１１は、側壁部１１ｂの一部に、突出片部１１ａよりも肉厚が大きく形成された熱容量拡大部１１１を有する。熱容量拡大部１１１は電池セル２の熱が移動する部位である。熱容量拡大部１１１は、突出片部１１ａよりも体積または肉厚が大きい部分であるため、電池セル２から移動した熱を貯めておくことができる。このように熱容量拡大部１１１が熱を貯めることにより、電池セル２の熱を電池セル２から迅速に放出することに寄与し、電池セル２の温度上昇を抑制することができる。熱容量拡大部１１１は、突出片部１１ａへ移動しようとする熱を抑えるために、突出片部１１ａよりも上方に設けられていることが好ましい。この構成によれば、熱は上方に移動しやすいため、側壁部１１ｂに移動した熱が、突出片部１１ａでなく熱容量拡大部１１１へ移動しやすく、電池セル２の放熱を促進することができる。
【００４２】
端面２ｂは、カバー１１に対して熱移動可能な部位である。電池セル２は、熱容量拡大部１１１に対して押し当てられた状態で、すなわち押力荷重がかかった状態で設置されている。端面２ｂと熱容量拡大部１１１との間には、蓄熱部１１２が設けられている。したがって、蓄熱部１１２は、電池セル２と熱容量拡大部１１１とで挟まれる構成により、端面２ｂおよび熱容量拡大部１１１に密着した状態で接触している。熱容量拡大部１１１は、電池ユニット２０に含まれるすべての電池セル２について端面２ｂに対応する位置に設けられている。蓄熱部１１２は、例えば、パラフィン系潜熱蓄熱材、相変化物質を含有するマイクロカプセル等の蓄熱材料を含む部材である。蓄熱部１１２は、電池セル２から移動した熱を貯めておくことができる。蓄熱部１１２が熱を貯めることにより、電池セル２の熱を電池セル２から迅速に放出することに寄与し、電池セル２の温度上昇を抑制することができる。つまり、電池パック１は、蓄熱部１１２と熱容量拡大部１１１との許容熱容量によって、ベース３０へ熱移動することを抑えている。
【００４３】
電池セル２の熱は、端面２ｂから蓄熱部１１２および熱容量拡大部１１１に移動する。さらに熱容量拡大部１１１に貯められた熱は、熱容量拡大部１１１の許容熱容量を超えると、熱容量拡大部１１１の表面から電池パック１の雰囲気に放出される。以上の構成によれば、電池パック１は、電池セル２の熱をカバー１１を経由して外部に放出する電池放熱経路を備えている。
【００４４】
電池ユニット２０はモニタモジュールを有する。モニタモジュールは、電気絶縁性の樹脂製部材と、複数の電池セル２に接続されるモニタ接続部材とを有している。モニタ接続部材は、樹脂部材の中にインサート成形によって埋設されている。モニタ接続部材は、樹脂部材の中を通って、電池セル２と電気回路５０とを接続している。モニタモジュールは、複数の水検出電極を備える水センサを有している。モニタモジュールは、電池ケースの一面に沿って配置されている。
【００４５】
ベース３０は熱伝導性を有する金属製である。ベース３０は、例えばアルミニウム、鉄によって構成することができる。ベース３０はキャリアとも呼ばれる。ベース３０は、例えばアルミニウム−ダイカストで形成することができる。ベース３０は高い熱伝導性を有するとともに高い剛性を有する。ベース３０は電池ユニット２０を受け入れる容器部を備える。ベース３０は、複数のステー３２ａ，３２ｂ，３２ｃ，３２ｄ，３２ｅを有する。複数のステー３２ａ〜３２ｅは、総称してステー３２と呼ばれる。ステー３２は、電池パック１を車両に固定するために、車両側部材１９に固定される固定部である。車両側部材１９は、電池パック１を固定するために電池パック１が装着される車両の一部であり、例えば板状のフレーム、パネルである。ステー３２には、ステー３２を車両側部材１９に固定するための固定手段の一例であるボルト等を挿通するための取付穴が設けられている。ステー３２は、車両側部材１９に対して溶接等の固定手段によって固定される形態でもよい。
【００４６】
電気部品ユニットは、電池ユニット２０の電力端子から延びる電力経路を提供する。電気部品ユニットは、電気絶縁性の樹脂部材と、電池ユニット２０に接続される電力接続部材とを有している。電気部品ユニットはベース３０の上に固定されている。電気部品ユニットは、少なくとも２つの電力接続部材を有する。ひとつの電力接続部材は、電池ユニット２０のひとつの電力端子と他の電力端子との間に設けられて電気的接続を提供する。
【００４７】
電気回路５０は、ベース３０の上に固定されている。電気回路５０は、電池ユニット２０の横に広がるように設けられる。電池ユニット２０は、ほぼ四辺形のベース３０のひとつの隅部に設置されている。電気回路５０は、ベース３０上に電池ユニット２０の横に広がる範囲を占める。
【００４８】
基板５１は、配線パターンが設けられた制御基板である。基板５１は、電気回路５０が占める水平範囲にわたって広がっている。基板５１は、所定の支持部材によって支持されている。基板５１は、ベース３０に設けられる放熱壁３１の上に設置されている構成でもよい。この場合、基板５１と放熱壁３１とは、基板５１から放熱壁３１へ熱が移動可能なように、直接接触した状態で、または熱伝導性に優れたシート、ジェル等の熱伝導性素材を介して間接的に熱接触した状態で、結合している。放熱壁３１とステー３２とは、ベース３０を形成する壁を通じて熱移動可能に一体に形成されている。このため、電池パック１は、基板５１から放熱壁３１に伝達した熱がベース３０の側壁に設けられているステー３２を通じて車両側部材１９に放出される放熱経路を備えている。また、電池パック１は、基板５１から放熱壁３１に伝達した熱が放熱壁３１から空気中に放出される放熱経路を備えている。
【００４９】
比較的低電流を制御するスイッチ装置５３の発熱は、基板５１を介してベース３０の放熱壁３１に移動し、放熱壁３１から複数の側壁を伝わって下方に移動させることができる。さらに熱は、一つの側壁から、下部にあるステー３２を介して車両側部材１９に伝わって外部に放出される。この放熱経路によれば、放熱壁３１から放熱壁３１に沿って複数の側壁に伝わる経路を構成できる。したがって、電池パック１によれば、発熱体の放熱経路として、空気よりも熱伝導率の高い固体を伝わる伝熱経路を構成できる。
【００５０】
基板５１は単一の基板である。基板５１の上には、複数の電気部品５２が配置されている。電気部品５２は、電池パック１において発熱する物品の一つであり、発熱体に相当する。基板５１は複数の接続部分を有している。複数の接続部分の一部または全部は、バスバユニットの電力接続部材と電気部品５２との接続を提供する。電気回路５０は複数の電池セル２に接続されている。複数の電気部品５２は制御装置を提供する。制御装置は電池ユニット２０に含まれる複数の電池セル２のそれぞれの電圧を監視する。制御装置は、複数の電池セル２のそれぞれの充電状態、放電状態を監視する。制御装置は、複数の電池セル２のそれぞれの充電状態を適正に制御する。電池セル２は、例えばニッケル水素二次電池、リチウムイオン電池、有機ラジカル電池である。
【００５１】
複数の電気部品５２は、スイッチ装置５３、スイッチ装置５４，スイッチ装置５５を含んでいる。各スイッチ装置５３〜５５は電気回路５０によってオンオフ制御される装置である。スイッチ装置５４，５５は、電池ユニット２０の出力を断続的に制御することができる。スイッチ装置５４，５５は、電池ユニット２０のトータルプラス端子から供給される電流を断続する。スイッチ装置５３は、スイッチ装置５４，５５よりも小さい電流が流れる弱電部品である。スイッチ装置５３は基板５１の上に実装されている。各スイッチ装置５３〜５５は、トランジスタ、ＭＯＳＦＥＴ、またはＩＧＢＴなどとして広く知られている半導体スイッチである。また、各スイッチ装置５３〜５５は、電磁的に開閉されるメカニカルリレーであってもよい。各スイッチ装置５３〜５５は、電池パック１において発熱する電気部品５２の一つであり、発熱体に相当する。発熱体である電気部品には、スイッチ装置の他に、抵抗器が含まれている。
【００５２】
座席に水がこぼされる場合に、水に濡れた乗員が座席を利用する場合に、または車両が水に浸かる場合に、電池パック１の中に水が浸入する場合がある。この場合、電池パック１が水を放電経路として放電する場合がある。この実施形態では、電池パック１の中における水を検出する水センサと、水を検出した場合に対策処理を実行する制御装置とを備えている。制御装置は、電池パック１内への浸水を監視する。制御装置は、浸水が検出された場合に対策処置を実行する。対策処理は、例えば、複数の電気部品のひとつであるブレーカ素子をオフ状態にすることである。
【００５３】
電気回路５０が提供する制御システムは、電子制御装置（Electronic Control Unit）である制御装置を提供する。制御装置は、少なくともひとつの演算処理装置（ＣＰＵ）と、プログラムとデータとを記憶する記憶媒体としての少なくともひとつのメモリ装置（ＭＭＲ）とを有する。制御装置は、コンピュータによって読み取り可能な記憶媒体を備えるマイクロコンピュータによって提供される。記憶媒体は、コンピュータによって読み取り可能なプログラムを非一時的に格納する非遷移的実体的記憶媒体である。記憶媒体は、半導体メモリまたは磁気ディスク等によって提供されうる。制御装置は、ひとつのコンピュータ、またはデータ通信装置によってリンクされた一組のコンピュータ資源によって提供されうる。プログラムは、制御装置によって実行されることによって、制御装置をこの明細書に記載される装置として機能させ、この明細書に記載される方法を実行するように制御装置を機能させる。
【００５４】
制御システムは、制御装置に入力される情報を示す信号を供給する複数の信号源を入力装置として有する。制御システムは、制御装置が情報をメモリ装置に格納することにより、情報を取得する。制御システムは、制御装置によって作動が制御される複数の制御対象物を出力装置として有する。制御システムは、メモリ装置に格納された情報を信号に変換して制御対象物に供給することにより制御対象物の作動を制御する。
【００５５】
制御システムに含まれる制御装置と信号源と制御対象物とは、多様な要素を提供する。それらの要素の少なくとも一部は、機能を実行するためのブロックと呼ぶことができる。別の観点では、それらの要素の少なくとも一部は、構成として解釈されるモジュール、またはセクションと呼ぶことができる。さらに制御システムに含まれる要素は、意図的な場合にのみ、その機能を実現する手段とも呼ぶことができる。
【００５６】
制御システムが提供する手段および、または機能は、実体的なメモリ装置に記録されたソフトウェアおよびそれを実行するコンピュータ、ソフトウェアのみ、ハードウェアのみ、あるいはそれらの組合せによって提供することができる。例えば、制御装置がハードウェアである電子回路によって提供される場合、それは多数の論理回路を含むデジタル回路、またはアナログ回路によって提供することができる。電気回路５０は、インバータおよび、またはコンバータとしての回路と、複数の電池セル２の電圧を観測するモニタ回路とを備えてもよい。
【００５７】
ベース３０は板状または皿状を呈している。ベース３０は浅い皿状、または浅いカップ状と呼べる形状を有している。ベース３０の形状は、容器部において、下に向けて凸状であって上から凹状である。ベース３０は、それを反らせようとする外力に対抗する高い剛性を有する。ベース３０は、容器部を開く横方向、特に幅方向Ｗ１への外力に対抗する高い剛性を有する。ベース３０は、複数の電池セル２が著しく膨らむ方向に関して高い剛性を有する。
【００５８】
ベース３０の放熱壁３１の上には、基板５１を介して一部の電気部品５２が配置されている。一部の電気部品５２は、放熱を要する部品である。例えば、電気回路５０におけるスイッチ装置５３は、放熱壁３１の上に配置されている。放熱壁３１と電気部品５２との間、放熱壁３１と基板５１との間には、絶縁シートが設置される。この構成により、電気部品５２の熱は、絶縁シートを介して放熱壁３１へ移動することになる。放熱壁３１は、ベース３０において、上へ凸状であり下から凹状である。放熱壁３１は、ベース３０の下面において、下から凹状の放熱部を提供する。
【００５９】
ベース３０の上には、電池セル２に対する電流を制御するスイッチ装置５４，５５が設置された強電部と、強電部よりも小さい電流が流れるスイッチ装置５３等の電気部品が設置された弱電部と、が設けられている。強電部は、例えばスイッチ装置５４，５５が設置されているエリアを占有する。弱電部は、例えばスイッチ装置５４，５５以外の電気部品が設置されているエリアを占有する。
【００６０】
図３に示すように、スイッチ装置５４，５５は、放熱壁３１を介してベース３０に熱移動可能に設けられている。各バスバ２１，２２は、バスバ支持部材２５を介してベース３０と熱移動可能に接続している。各バスバ２１，２２は、ベース３０のステー３２やブラケット１９０を介して車両アンダーボディ等の車両側部材１９に熱移動可能に接続されている。図３に矢印で図示するように、スイッチ装置５４，５５の発熱は、バスバ２１，２２や放熱壁３１を介してベース３０から車両側部材１９に移動するスイッチ放熱経路を備えている。前述したように、スイッチ放熱経路は、電池放熱経路と重なる経路を持たないため、スイッチ装置５４，５５の熱は、電池セル２とカバー１１との温度差を確保することに寄与している。
【００６１】
次に、第１実施形態の電池パック１によって得られる効果について説明する。電池パック１は、筐体の内部に設置された複数の電池セル２と、筐体の一部を構成する、ベース３０およびカバー１１と、スイッチ装置５４，５５と、電池放熱経路と、スイッチ放熱経路と、を備える。ベース３０は、車両側部材１９に対して熱移動可能に設置される。カバー１１は、ベース３０と組み合わされて筐体の一部を構成し電池セル２の熱が熱移動可能な状態に設置されている。スイッチ装置５４，５５は、ベース３０を介して車両側部材１９に対して熱移動可能に設置されて電流を制御する。電池放熱経路は、電池セル２の熱をカバー１１を経由して外部に放出する経路である。スイッチ放熱経路は、スイッチ装置５４，５５の熱をベース３０を経由して車両側部材１９に放出する経路である。
【００６２】
この電池パック１によれば、スイッチ装置５４，５５の熱はスイッチ放熱経路によってベース３０を通じて車両側部材１９等の外部に放出し、電池セル２の熱は電池放熱経路によってカバー１１を通じて外部に放出することができる。電池放熱経路はスイッチ放熱経路とは独立した経路を構成している。これによれば、カバー１１はスイッチ装置５４，５５の熱が伝わるベース３０とは別部材であるため、スイッチ装置５４，５５からの熱干渉を受けにくい電池放熱経路を提供できる。したがって、電池パック１は、電池セル２の放熱性向上を図ることができる。
【００６３】
このように電池パック１は、電池セル２の放熱性が向上することにより、電池ユニット２０に流すことができる許容電流値、通電量、通電時間等を高めることができる。したがって、電池パック１は、電池パック１における使用電流の向上、電池ユニット２０の小型化、軽量化等を図ることができる。また、電池パック１は、車両の燃費や加速性能を高めることにも寄与する。
【００６４】
筐体と電池ケースとが放熱経路を有するように結合していない構成である電池セルの熱は、電池ケース、電池ケースと筐体との間の空気を介して筐体に移動する経路となる。これに対して、第１実施形態の電池パック１は、熱伝導率が低い空気を介した放熱経路を構成しないので、電池セル２の放熱性能を向上することができる。
【００６５】
電池パック１は、ベース３０またはカバー１１よりも高い断熱性を有し、カバー１１とベース３０との結合部においてカバー１１とベース３０との間に介在する断熱部１１３を備える。この構成によれば、断熱部１１３は、カバー１１からベース３０への熱移動やベース３０からカバー１１への熱移動を妨げることに寄与する。これにより、電池放熱経路とスイッチ放熱経路との間の熱干渉をさらに抑えることができ、電池セル２の放熱性向上をさらに改善する電池パック１を提供できる。
【００６６】
カバー１１は、電池セル２の熱が移動する部位に結合部よりも肉厚が大きい熱容量拡大部１１１を有する。この構成によれば、電池セル２からの放熱を熱容量拡大部１１１に集めて蓄えることができる。これにより、電池セル２の熱は熱容量拡大部１１１に貯めることできるので、電池セル２の温度上昇を抑制することができる。
【００６７】
電池パック１は、電池セル２に接触して支持する電池ケース４０を備える。電池セル２において電極端子２ａが突出する端子端面２ａ１とは反対側に位置する端面２ｂは、カバー１１に対して熱移動可能な部位であり、かつ、電池ケース４０を貫通するように設けられた開口部４０ａの内側に位置する。この構成によれば、開口部４０ａの内周壁と電池セル２のセルケースとが接触していないため、端面２ｂからの放熱を、電池ケース４０に移動させにくく、カバー１１へより多く移動させることに寄与する。
【００６８】
熱容量拡大部１１１は、カバー１１における側壁部１１ｂに設けられている。この構成によれば、高さ寸法を抑えた熱容量拡大部１１１を構成できるので、高さを抑えたカバー１１により、低高で電池セル２の放熱性能を向上できる電池パック１を提供できる。
【００６９】
熱容量拡大部１１１は、カバー１１の周囲の雰囲気に露出している。この構成によれば、電池セル２からの放熱を熱容量拡大部１１１に集め、さらに雰囲気に放出する電池放熱経路を提供できる。
【００７０】
電池パック１は、カバー１１における電池セル２の熱が移動する部位と電池セル２との間に介在し、蓄熱材料を含んだ蓄熱部１１２を備える。この構成によれば、電池セル２からの放熱を蓄熱部１１２に集めて蓄えることができる。蓄熱部１１２の許容熱容量を超えた熱はカバー１１へ移動することになる。これにより、蓄熱部１１２の貯熱能力とカバー１１の熱容量を有するので、さらに電池セル２の温度上昇抑制を促進できる。
【００７１】
カバー１１はベース３０よりも上方に設けられている。この構成によれば、電池セル２の熱を上方に位置するカバー１１に移動させるので、電池セル２の熱をカバー１１に移動させやすい電池放熱経路緒を提供できる。
【００７２】
（第２実施形態）
第２実施形態では、第１実施形態に対する他の形態である、電池放熱経路について図４を参照して説明する。第２実施形態は、熱容量拡大部１１１の設置場所、これに伴う電池セル２の設置姿勢が第１実施形態に対して相違する。第２実施形態は、この構成を除いて第１実施形態と同様の構成であり、同様の作用効果を奏するものである。第１実施形態と異なる内容について説明する。
【００７３】
図４に示すように、電池パック１０１は、電池パック１に対して電池放熱経路の構成、すなわち熱容量拡大部１１１の位置、電池セル２の設置姿勢が相違している。
【００７４】
電池ケース４０は、開口部４０ａが天井部１１ｃに対向する姿勢で設置されている。すべての電池セル２は、セルケースにおいて最も表面積が大きい面を隣の電池セルに対向させた姿勢で横方向に積層して、電池ケース４０に内蔵されている。電池セル２は、端面２ｂが開口部４０ａの内側において天井部１１ｃに対向する姿勢で設置されている。
【００７５】
端子端面２ａ１および電極端子２ａは、筐体の内部において端面２ｂよりも下方であるベース３０寄りに位置している。端子端面２ａ１および電極端子２ａは、ベース３０の底壁部に対向している。壁部４０ｂは、開口部４０ａよりもベース３０寄りに位置し、ベース３０の底壁部に対向している。
【００７６】
カバー１０１１は、天井部１１ｃの一部に熱容量拡大部１１１を有する。電池セル２の熱は、端面２ｂから上方に移動して蓄熱部１１２および熱容量拡大部１１１に蓄えられる。さらに熱容量拡大部１１１に貯められた熱は、熱容量拡大部１１１の許容熱容量を超えると、熱容量拡大部１１１の表面から上方に向けて電池パック１の雰囲気に放出される。以上の構成によれば、電池パック１は、電池セル２の熱を上方に移動させカバー１１を経由して外部に放出する電池放熱経路を備えている。
【００７７】
第２実施形態によれば、熱容量拡大部１１１はカバー１１における天井部１１ｃに設けられている。この構成によれば、上方へ移動しやすい熱の特性を利用して、電池セル２の熱を集めやすい熱容量拡大部１１１を提供できる。したがって、集熱能力が高い熱容量拡大部１１１により、電池セル２の放熱性能を向上できる電池パック１を提供できる。
【００７８】
（第３実施形態）
第３実施形態では、第１実施形態に対する他の形態である、電池放熱経路について図５を参照して説明する。第３実施形態は、第１実施形態に対して、熱容量拡大部１１１の設置箇所、蓄熱部１１２から熱容量拡大部１１１への放熱経路、電極端子２ａからの放熱経路が相違する。第３実施形態は、この構成を除いて第１実施形態と同様の構成であり、同様の作用効果を奏するものである。第１実施形態と異なる内容について説明する。
【００７９】
図５に示すように、電池パック２０１は、電池パック１に対して電池放熱経路の構成、すなわち熱容量拡大部１１１の位置、端面２ｂの位置、電極端子２ａの位置、電池ケース４０とカバー２０１１との位置関係が相違している。
【００８０】
電池ケース４０は、開口部４０ａが筐体の内部に位置し、壁部４０ｂが筐体の外部に位置する姿勢で設置されている。すなわち、電池ケース４０の一部は、筐体の外部に突出している。外部に突出した部分には、電池ケース４０を貫通する孔部が設けられている。端子端面２ａ１および電極端子２ａは、壁部４０ｂに対向している。したがって、端子端面２ａ１や電極端子２ａからの放熱は、電池ケース４０を貫通する孔部を通して筐体の雰囲気に放出される。
【００８１】
カバー２０１１には、天井部１１ｃに設けられた熱容量拡大部１１１の内面から下方に延びる伝熱連絡部１１４が一体に設けられている。伝熱連絡部１１４は、熱伝導性を有する金属で構成されている。電池セル２は、伝熱連絡部１１４に対して押し当てられた状態で、すなわち押力荷重がかかった状態で設置されている。端面２ｂと伝熱連絡部１１４との間には、蓄熱部１１２が設けられている。したがって、蓄熱部１１２は、電池セル２と伝熱連絡部１１４とで挟まれる構成により、端面２ｂおよび伝熱連絡部１１４に密着した状態で接触している。伝熱連絡部１１４は、電池ユニット２０に含まれるすべての電池セル２について端面２ｂに対応する位置に設けられている。
【００８２】
電池セル２の熱は、端面２ｂから蓄熱部１１２に移動し、さらに伝熱連絡部１１４を介して熱容量拡大部１１１に移動する。熱容量拡大部１１１に貯められた熱は、熱容量拡大部１１１の許容熱容量を超えると、熱容量拡大部１１１の表面から電池パック２０１の雰囲気に放出される。以上の構成によれば、電池パック２０１は、電池セル２の熱をカバー１１を経由して外部に放出する経路と、電極端子２ａや端子端面２ａ１から筐体の外部に放出する経路とを有する電池放熱経路を備えている。
【００８３】
（第４実施形態）
第４実施形態では、第１実施形態に対する他の形態である、電池放熱経路について図６を参照して説明する。第４実施形態は、第１実施形態に対して、熱容量拡大部１１１からの放熱経路が相違する。第４実施形態は、この構成を除いて第１実施形態と同様の構成であり、同様の作用効果を奏するものである。第１実施形態と異なる内容について説明する。
【００８４】
図６に示すように、電池パック３０１は、カバー３０１１の熱容量拡大部１１１と車両側部材１９の両方に熱的に接続されている連結部材１９１を備えている。電池セル２の熱は、端面２ｂから蓄熱部１１２に移動し、さらに熱容量拡大部１１１に移動する。熱容量拡大部１１１に貯められた熱は、熱容量拡大部１１１の許容熱容量を超えると、熱容量拡大部１１１から連結部材１９１を介して車両側部材１９に放出され、あるいは連結部材１９１から雰囲気に放出される。
【００８５】
第４実施形態によれば、電池パック３０１は、車両側部材１９に対して連結部材１９１を介して接続されている熱容量拡大部１１１を備える。この構成によれば、熱容量拡大部１１１に蓄えた熱を、連結部材１９１を介して車両側部材１９に放出することができる。
【００８６】
連結部材１９１は、電池セル２に接触して支持する電池ケース４０よりも熱伝導性が高い材質によって構成されている。これによれば、熱容量拡大部１１１の許容熱容量を超えた熱量を連結部材１９１に移動させやすい電池パック３０１を提供できる。さらに外部雰囲気に放熱させやすい連結部材１９１を提供できるため、カバー１１との温度差が大きい空調空間に放熱する放熱経路を構成できる。
【００８７】
（第５実施形態）
第５実施形態では、第１実施形態に対する他の形態である、電池パック４０１について図７を参照して説明する。第５実施形態は、第１実施形態に対して、電池ユニット２０において上下方向に積層された電池セル３の個数が相違する。第５実施形態は、この構成を除いて第１実施形態と同様の構成であり、同様の作用効果を奏するものである。第１実施形態と異なる内容について説明する。
【００８８】
図７に示すように、電池パック４０１は、上下方向に５個の電池セル２が積層されて電池ケース４０に収容されている。カバー４０１１の熱容量拡大部１１１は、電池ユニット２０に含まれるすべての電池セル２について端面２ｂに対応する位置に設けられている。なお、電池ユニット２０において積層される電池セル２は、第１実施形態および第５実施形態で開示する個数に限定されない。
【００８９】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００９０】
前述の実施形態において、端面２ｂと熱容量拡大部１１１との間に介在している蓄熱部１１２は、熱伝導性に優れた伝熱部に置き換えてもよい。伝熱部は、電池セル２からカバー１１への伝熱を促進する部材であり、例えばカバー１１またはベース３０よりも高い熱伝導性を有する材質で構成されている。この構成によれば、電池セル２の熱を伝熱部を介してカバー１１の熱容量拡大部１１１へ迅速に放出することに寄与し、電池セル２の温度上昇を抑制することができる。
【００９１】
前述の実施形態において、筐体の内部に送風機等により強制的な空気流れを形成するようにしてもよい。例えば、筐体の内部に送風機を設置して、送風機によって筐体の内部を循環する循環空気流を形成することで、電池セル２の放熱を促進する電池パックを構成することができる。
【００９２】
前述の実施形態において、ベース３０のステー３２は、車両側部材１９に直接的に固定されていない構成でもよい。ステー３２は、車両側部材１９に対して熱移動可能に設置される構成であれば、車両側部材１９に別部材を介して熱移動可能に固定されている構成でもよい。
【００９３】
前述の実施形態において、バスバ２１，２２，２４は、電気部品に直接的に接続されていない構成でもよい。バスバ２１，２２，２４は、電気部品に対して通電可能に接続されている構成であれば、別部材を介して電気部品に接続されている構成でもよい。
【００９４】
前述の実施形態において電池ユニット２０を構成する電池セル２は、例えば、外装ケースが薄い平板状の形態をなし、外装ケースはラミネートシートで形成されている形態でもよい。ラミネートシートは、絶縁性の高い素材で構成されている。電池セルは、例えば、二つ折りにされたラミネートシートの端部同士を熱融着することにより当該端部同士を封止して密閉された扁平状容器の内部空間を有する。この内部空間には、電極集合体、電解質、端子接続部、正極端子部の一部、および負極端子部の一部を含む電池本体部が内蔵されている。したがって、複数の電池セルは、扁平状容器の周縁部が封止されることにより、扁平状容器の内部に、電池本体部が密封状態で収容されている。各電池セルは、扁平状容器から外方へ引き出された一対の電極端子を有する。
【００９５】
前述の実施形態において電池ユニット２０を構成する電池セル２として、例えば、円柱状の外形形状である電池セルを用いてもよい。
【００９６】
前述の実施形態において、電池ユニット２０を構成する複数の電池セルは、隣接する電池セル間に隙間を設けずに接触させた状態で設置される形態でもよいし、隣り合う電池セル２の間に所定の隙間をあけて設置するようにしてもよい。
【符号の説明】
【００９７】
１１，１０１１，２０１１，３０１１，４０１１…カバー
１９…車両側部材、  ２０…電池ユニット（電池）
３０…ベース、  ５４，５５…スイッチ装置
【図１】
2018190607.tif 000003
【図２】
2018190607.tif 000004
【図３】
2018190607.tif 000005
【図４】
2018190607.tif 000006
【図５】
2018190607.tif 000007
【図６】
2018190607.tif 000008
【図７】
2018190607.tif 000009